(57)【要約】【課題】全体としてのデザイン変更に簡単に対処し、しかも、構成の複雑化を解消し、しかも使い勝手を高めるリュックサックを提供することである。【解決手段】リュックサック本体Ｒの前面側に設けた荷物出し入れ用の開口部Ｒｏを覆う蓋部材Ｃを有するリュックサックにおいて、蓋部材Ｃの全外周を線ファスナーＦによってリュックサック本体Ｒに取り外し可能に構成してなる。【選択図】図３
0003158510.tif 000002
【実用新案登録請求の範囲】
【請求項１】
リュックサック本体（Ｒ）の前面側に設けた荷物出し入れ用の開口部(Ｒｏ)を覆う蓋部材（Ｃ）を有するリュックサックにおいて、蓋部材（Ｃ）の全外周を線ファスナー（Ｆ）によってリュックサック本体（Ｒ）に取り外し可能に構成してなることを特徴とするリュックサック。
【請求項２】
線ファスナー（Ｆ）は、蓋部材（Ｃ）の一方の側部の中央部に対応して箱、箱棒及び蝶棒を有していることを特徴とする請求項１に記載のリュックサック。
【請求項３】
線ファスナー（Ｆ）は、箱からスライダーを動作させることによって、先ず、蓋部材（Ｃ）の下部がリュックサック本体（Ｒ）に連結されるように構成されていることを特徴とする請求項２に記載のリュックサック。
【請求項４】
スライダーは、線ファスナー（Ｆ）のうち、蓋部材（Ｃ）に装着された部材に対して抜け止め状、かつスライド自在に設けられていることを特徴とする請求項２または請求項３に記載のリュックサック。
【考案の詳細な説明】
【技術分野】
【０００１】
本考案は、ハイキング、軽登山等において手荷物、食料品、衣料品などを収容するために使用されるリュックサックに関する。
【背景技術】
【０００２】
従来から、リュックサックとしては、デイパック、アタックザック等の種々の構成のものが提供されている。これらは、ハイキング、軽登山、本格的な登山等に適したものとして提供されており、これらの用途に使用されていた。
しかし、近年に至って、リュックサックが、本来の用途のみならず、街なかで物を入れて運ぶ用途に使用されることが多くなってきている。
このような用途の拡大に対応させて、特許文献１、２、３、４が提案されている。
特許文献１には、収納部を構成するデイパック本体の背面をメッシュ部材により構成し、しかも、メッシュ部材の外表面全域を開閉可能に覆うカバー部材を設けてなるデイパックが記載されている。
この構成のデイパックによれば、メッシュ部材によって、デイパック本体内部の蒸れを防止することができ、しかも、降雨時には、カバー部材を設けてメッシュ部材を覆うことによって、デイパック本体の内部に収容されたものが雨に濡れてしまうという不都合を防止することができる。
特許文献２には、バッグ本体と、このバッグ本体の表面に取り付けられる面部材と、バッグ本体と面部材とを着脱可能に連結するためのスライドファスナー等の脱着手段とを有するバッグ組立体が記載されている。
この構成のバッグ組立体によれば、バッグ本体と面部材とを自由に組み合わせることができ、しかも、製造者としても、全ての組み合わせのバッグを製造するのではなく、必要な種類のバッグ本体、面部材を製造するだけでよいから、製造コスト負担を軽減することができる。
特許文献３には、ザック本体と、背板状体と、両者を着脱可能に連結するためのスライドファスナーとを有するリュックサックが記載されている。
この構成のリュックサックによれば、多種多様なリュックサックを、メーカーにおいては低廉に供給することができ、小売店においては最小の在庫数をもって提示でき、エンドユーザーは、自己のニーズに合わせてそれにふさわしいリュックサックを適切に購入・選択・使用できるようにすることができる。
特許文献４には、バックパック本体に対してカバー部材が着脱可能に装着されたバックパックが記載されています。
この構成のバックパックによれば、カバーを交換することによって、バックパック概観の色や模様の変化性を向上させることができる。
【０００３】
特許文献１に記載のものは、メッシュ部材とカバー部材が必要であり、構成が複雑化するという不都合がある。また、非降雨時には、取り外したカバー部材を携帯しなければならないという不都合もある。
特許文献２に記載のものは、バッグ本体が、それ自体で完全な収納部を構成しているので、面部材が取り付けられた場合には、この部分が２層構造となり、構成が複雑化し、コストアップを招いてしまうという不都合がある。
特許文献３に記載のものは、ザック本体が、それ自体で完全な収納部を構成しているので、背板状体が取り付けられた場合には、この部分が２層構造となり、構成が複雑化し、コストアップを招いてしまうという不都合がある。
特許文献４に記載のものは、それ自体で完全な収納部を構成するバックパック本体に対してカバーを装着するので、この部分が２層構造となり、構成が複雑化し、コストアップを招いてしまうという不都合がある。
【先行技術文献】
【特許文献】
【０００４】
【特許文献１】特開２００２−０６５３２９号公報
【特許文献２】特開２００４−０６５６２４号公報
【特許文献３】特開２００５−３４２１６８号公報
【特許文献４】実用新案登録第３１２１９６０号公報
【考案の概要】
【考案が解決しようとする課題】
【０００５】
本考案が解決しようとする課題は、以下の通りである。
○本考案が解決しようとする第１課題
全体としてのデザイン変更に簡単に対処することができるリュックサックを提供することである。
○本考案が解決しようとする第２課題
構成の複雑化を解消することができるリュックサックを提供することである。
○本考案が解決しようとする第３課題
使い勝手を向上させることができるリュックサックを提供することである。
【課題を解決するための手段】
【０００６】
課題を解決するための手段は、本願の[実用新案登録請求の範囲]の各請求項に記載された考案である。
実用新案登録請求の範囲、明細書、図面等の用語の解釈上の疑義を解消すべく、以下、用語の説明を行うこととする。
＜用語の説明＞
○リュックサックとは、荷物を入れて担ぐための袋であり、リュック、ザック、バックパック、ナップサック、背嚢、デイパック、アタックザック、サブザック、キスリング等が例示できる。
○線ファスナーとは、テープ、エレメント、及びスライダーで構成される線状のファスナーであり、エレメントと呼ばれる歯をテープ状の基材に並べて取り付けたもので、左右対になった一組の間をスライダーを動かすことで、左右のエレメント同士が順に組み合わさってゆき、自在に開閉できる構造になったものである。開いている状態からスライダーを引っ張って動かせば、動かした位置まで閉まり、逆に、閉まっている状態からスライダーを引っ張って動かせば、動かした位置まで開く仕掛けになっている。エレメントの並んだ両端部には、「上止」と「下止」があり、スライダーが跳び出すのを防ぐと共に、エレメントの固定を助けている。
本考案の線ファスナーにおいては、「下止」に代えて、箱、箱棒、蝶棒が付いていて、蝶棒が箱から抜けることで左右のテープが完全に分かれるようになっている。
【０００７】
本考案者は、上記の従来技術が有する各種の問題点に鑑み、鋭意研究を重ねて、本考案を完成した。
本考案者が、本考案が解決しようとする課題の重要性に気付く契機となったのは、従来技術の問題点を生じる最大の原因が、リュックサック本体の何れの部分も二重構成にすることなく構成を簡単化する必要性に気付いていなかったことである。
課題を解決するための手段は、本願の実用新案登録請求の範囲の各請求項に記載の考案であり、その具体的な解決手段は、以下の通りである。
【０００８】
○第１の考案（請求項１に記載の考案）
上記の課題を解決するための第１の考案（請求項１に記載の考案）は、
リュックサック本体の前面側に設けた荷物出し入れ用の開口部を覆う蓋部材を有するリュックサックにおいて、蓋部材の全外周を線ファスナーによってリュックサック本体に取り外し可能に構成してなることを特徴とするリュックサックである。
○第２の考案（請求項２に記載の考案）
上記の課題を解決するための第２の考案（請求項２に記載の考案）は、
線ファスナーは、蓋部材の一方の側部の中央部に対応して箱、箱棒及び蝶棒を有していることを特徴とする請求項１に記載のリュックサックである。
○第３の考案（請求項３に記載の考案）
上記の課題を解決するための第３の考案（請求項３に記載の考案）は、
線ファスナーは、箱からスライダーを動作させることによって、先ず、蓋部材の下部がリュックサック本体に連結されるように構成されていることを特徴とする請求項２に記載のリュックサックである。
○第４の考案（請求項４に記載の考案）
上記の課題を解決するための第４の考案（請求項４に記載の考案）は、
スライダーは、線ファスナーのうち、蓋部材に装着された部材に対して抜け止め状、かつスライド自在に設けられていることを特徴とする請求項２または請求項３に記載のリュックサックである。
【考案の効果】
【０００９】
○第１の考案の効果
第１の考案によれば、
リュックサック本体の前面側に設けた荷物出し入れ用の開口部を覆う蓋部材を有するリュックサックにおいて、蓋部材の全外周を線ファスナーによってリュックサック本体に取り外し可能に構成してなる
という特徴的な構成要件により、
線ファスナーを操作するという簡単な操作によって、蓋部材をリュックサック本体から簡単に取り外すことができ、次いで、新たな蓋部材を取り付けることができ、この結果、リュックサック全体としてのデザインを簡単に変更することができる。
すなわち、本考案が解決しようとする第１課題、第２課題を達成することができ、当業者予測不可能な顕著な効果を奏することができた。
○第２の考案の効果
第２の考案によれば、
線ファスナーは、蓋部材の一方の側部の中央部に対応して箱、箱棒及び蝶棒を有している
という特徴的な構成要件により、
線ファスナーの動作に起点を蓋部材の一方の側部の中央部に設定することができ、蓋部材の交換を簡単に達成することができる。
すなわち、本考案が解決しようとする第１課題、第２課題を達成することができ、当業者予測不可能な顕著な効果を奏することができた。
【００１０】
○第３の考案の効果
第３の考案によれば、
線ファスナーは、箱からスライダーを動作させることによって、先ず、蓋部材の下部がリュックサック本体に連結されるように構成されている
という特徴的な構成要件により、
半開きの状態では、蓋部材の上部のみが開かれたことになり、リュックサック本体の収容物が落下するおそれを皆無にすることができる。
すなわち、本考案が解決しようとする第１課題、第２課題、第３課題を達成することができ、当業者予測不可能な顕著な効果を奏することができた。
○第４の交換の効果
第４の考案によれば、
スライダーは、線ファスナーのうち、蓋部材に装着された部材に対して抜け止め状、かつスライド自在に設けられている
という特徴的な構成要件により、
スライダーを常に蓋部材に従属させることができ、蓋部材のデザインとスライダーのデザインを合わせることができる。
すなわち、本考案が解決しようとする第１課題、第２課題、第３課題を達成することができ、当業者予測不可能な顕著な効果を奏することができた。
【図面の簡単な説明】
【００１１】
【図１】本考案のリュックサックの一実施形態の閉蓋状態を概略的に示す斜視図である。
【図２】本考案のリュックサックの一実施形態の半開き状態を概略的に示す斜視図である。
【図３】本考案のリュックサックの一実施形態の開蓋状態を概略的に示す斜視図である。
【考案を実施するための形態】
【００１２】
以下、添付図面を参照して、本考案のリュックサックの実施の形態を詳細に説明する。
第１の考案のリュックサックは、
リュックサック本体の前面側に設けた荷物出し入れ用の開口部を覆う蓋部材を有するリュックサックにおいて、蓋部材の全外周を線ファスナーによってリュックサック本体に取り外し可能に構成してなることを特徴としている。
第２の考案のリュックサックは、
線ファスナーは、蓋部材の一方の側部の中央部に対応して箱、箱棒及び蝶棒を有していることを特徴としている。
第３の考案のリュックサックは、
線ファスナーは、箱からスライダーを動作させることによって、先ず、蓋部材の下部がリュックサック本体に連結されるように構成されていることを特徴としている。
第４の考案のリュックサックは、
スライダーは、線ファスナーのうち、蓋部材に装着された部材に対して抜け止め状、かつスライド自在に設けられていることを特徴としている。
【００１３】
[図１]は、本考案のリュックサックの一実施形態の閉蓋状態を概略的に示す斜視図である。
[図２]は、本考案のリュックサックの一実施形態の半開き状態を概略的に示す斜視図である。
[図３]は、本考案のリュックサックの一実施形態の開蓋状態を概略的に示す斜視図である。
このリュックサックは、デイパックの形態を有すると共に、前面側の全範囲を荷物出し入れ用に開口してなるリュックサック本体Ｒと、リュックサック本体Ｒの前面側に設けた荷物出し入れ用の開口部Ｒｏを開閉可能な蓋部材Ｃと、蓋部材Ｃの全外周をリュックサック本体Ｒに対して取り外し可能に連結する線ファスナーＦとを有している。
線ファスナーＦは、テープ、エレメント、及びスライダーで構成される線状のファスナーであり、エレメントと呼ばれる歯をテープ状の基材に並べて取り付けたもので、左右対になった一組の間をスライダーを動かすことで、左右のエレメント同士が順に組み合わさってゆき、自在に開閉できる構造になったものである。開いている状態からスライダーを引っ張って動かせば、動かした位置まで閉まり、逆に、閉まっている状態からスライダーを引っ張って動かせば、動かした位置まで開く仕掛けになっている。
そして、この線ファスナーにおいては、「下止」に代えて、箱、箱棒、蝶棒が付いていて、蝶棒が箱から抜けることで左右のテープが完全に分かれるようになっている。
また、箱、箱棒、蝶棒は、蓋部材Ｃの一方の側部の中央部に対応して設けられていることが好ましく、この場合において、線ファスナーＦは、箱からスライダーを動作させることによって、先ず、蓋部材Ｃの下部がリュックサック本体Ｒに連結されるように構成されていることが好ましい。この場合には、開蓋操作時に、蓋部材Ｃの上側が最初に開くので、リュックサック本体Ｒに収容されている内容物が落下してしまうという不都合を防止することができる。
さらに、スライダーは、この実施形態においては、線ファスナーＦのうち、リュックサック本体Ｒに装着された部材に対して抜け止め状、かつスライド自在に設けられているが、線ファスナーＦのうち、蓋部材Ｃに装着された部材に対して抜け止め状、かつスライド自在に設けられていることが好ましい。この場合には、スライダーの色、形状等を蓋部材Ｃのデザインに合わせておくことができ、デザインの統一性を簡単に実現することができる。また、蓋部材Ｃを交換した場合にも、蓋部材Ｃとスライダーとが違和感を生じさせてしまうという不都合を確実に防止することができ、リュックサック全体としての変更されたデザインの質を高めることができる。
【００１４】
したがって、一方のエレメント列が設けられたテープをリュックサック本体Ｒの開口部Ｒｏの辺縁部全範囲にわたって設け、他方のエレメント列が設けられたテープを蓋部材Ｃの辺縁部全範囲にわたって設けることによって、蓋部材Ｃをリュックサック本体Ｒに対して取り付けた状態と、蓋部材Ｃをリュックサック本体Ｒから取り外した状態とを簡単に選択することができる。
この結果、蓋部材Ｃのみを交換することによって、リュックサック全体としてのデザインを変更することができ、行き先、その日の気分等に応じたデザインのリュックサックとすることができる。
また、この場合において、デザインが異なる複数の蓋部材Ｃを準備しておくだけでよいから、複数種類のリュックサックを準備する場合と比較して、大幅にコストダウンを達成することができる。もちろん、収納スペースも大幅に小さくすることができる。
さらに、その日の気分に応じて蓋部材Ｃを交換する場合には、リュックサック本体に収納されている内容物を出し入れする必要がないので、デザイン変更に伴う手間を大幅に軽減することができる。
さらにまた、リュックサック本体Ｒに蓋を設けておいて、この構成に加えてカバー部材を取り外し可能に装着する場合と比較して、本考案は、蓋部材Ｃの部分において二重構成を排除できているのであるから、構成を簡単化することができ、しかも、コストダウンを達成することができる。
【符号の説明】
【００１５】
Ｒ    リュックサック本体
Ｒｏ  開口部
Ｆ    線ファスナー
Ｃ    蓋部材
【図１】
0003158510.tif 000003
【図２】
0003158510.tif 000004
【図３】
0003158510.tif 000005